(57)【要約】【課題】カメラのポップアップ用の移動機構に負担をかけることなく、適切にアンテナを設けること。【解決手段】カメラ１は、アンテナ１０５と、フラッシュ発光部１０１と、フラッシュ発光部１０１をカメラ本体１３に収納する収納位置およびフラッシュ発光部１０１をカメラ本体１３から突出させる使用位置間で、フラッシュ発光部１０１を移動させる移動機構１０３、１０４、１０８と、を備え、移動機構は、カメラ本体１３と回転軸１０８を介してつながれた支持部材１０３、１０４でフラッシュ発光部１０１を回動可能に支持し、アンテナ１０５は、カメラ本体１３において収納位置にあるフラッシュ発光部１０１と回転軸１０８との間に設けられる。【選択図】図２
2013122497.tif 000002
【特許請求の範囲】
【請求項１】
アンテナと、
フラッシュ発光部と、
前記フラッシュ発光部をカメラ本体に収納する収納位置および前記フラッシュ発光部を前記カメラ本体から突出させる使用位置間で、前記フラッシュ発光部を移動させる移動機構と、を備え、
前記移動機構は、前記カメラ本体と回転軸を介してつながれた支持部材で前記フラッシュ発光部を回動可能に支持し、
前記アンテナは、前記カメラ本体において前記収納位置にある前記フラッシュ発光部と前記回転軸との間に設けられることを特徴とするカメラ。
【請求項２】
請求項１に記載のカメラにおいて、
前記アンテナは、前記収納位置にある前記フラッシュ発光部より上に位置することを特徴とするカメラ。
【請求項３】
請求項１または２に記載のカメラにおいて、
前記回転軸は、非金属部材で構成されることを特徴とするカメラ。
【請求項４】
請求項１〜３のいずれか一項に記載のカメラにおいて、
前記アンテナは、前記移動機構による前記支持部材の回動と連動して向きを変えることを特徴とするカメラ。
【発明の詳細な説明】
【技術分野】
【０００１】
本発明は、カメラに関する。
【背景技術】
【０００２】
測位情報を得るためにＧＰＳ(Global Positioning System)衛星からの電波を受信する測位用ユニットを搭載するカメラにポップアップ式のフラッシュ装置を備え、ポップアップする部材の内部に上記測位用ユニットのアンテナを設けることが知られている（特許文献１参照）。
【先行技術文献】
【特許文献】
【０００３】
【特許文献１】特開２０００−７５３８１号公報
【発明の概要】
【発明が解決しようとする課題】
【０００４】
ポップアップする部材の内部にアンテナを設けると、ポップアップする部材の下側にアンテナを設ける場合より受信感度が向上する一方で、ポップアップする部材の内部にアンテナを設けない場合に比べてポップアップする部材が大きく重くなるので、ポップアップ駆動部の負担が大きくなるという問題があった。
【課題を解決するための手段】
【０００５】
本発明によるカメラは、アンテナと、フラッシュ発光部と、フラッシュ発光部をカメラ本体に収納する収納位置およびフラッシュ発光部をカメラ本体から突出させる使用位置間で、フラッシュ発光部を移動させる移動機構と、を備え、移動機構は、カメラ本体と回転軸を介してつながれた支持部材でフラッシュ発光部を回動可能に支持し、アンテナは、カメラ本体において収納位置にあるフラッシュ発光部と回転軸との間に設けられることを特徴とする。
【発明の効果】
【０００６】
本発明によるカメラでは、ポップアップ用の移動機構に負担をかけることなく、適切にアンテナを設けることができる。
【図面の簡単な説明】
【０００７】
【図１】本発明の一実施の形態による電子カメラの斜視図である。
【図２】発光部ユニットの収納状態を説明するＹＺ平面の断面図である。
【図３】発光部ユニットの使用状態を説明するＹＺ平面の断面図である。
【図４】発光部ユニットの収納状態を説明するＸＺ平面の断面図である。
【図５】変形例１における発光部ユニットの使用状態を説明するＹＺ平面の断面図である。
【発明を実施するための形態】
【０００８】
以下、図面を参照して本発明を実施するための形態について説明する。図１は、本発明の一実施の形態による電子カメラ１の斜視図である。カメラ本体１３は、撮影レンズ１２の鏡筒１６の上部にポップアップ式のフラッシュ装置（フラッシュ発光部１０１）と、ＧＰＳ衛星から送信される電波を受信するアンテナ１０５とを有する。フラッシュ発光部１０１は発光部ユニット１０内に設けられ、アンテナ１０５は樹脂カバー１１で覆われている。
【０００９】
発光部ユニット１０は、ポップアップ機構を有しており、閉じ位置からアップ位置へポップアップするように構成される。図１は、発光部ユニット１０が閉じ位置に収納された状態を表す。
【００１０】
図２および図３は、図１の電子カメラ１をＹＺ平面で切断した断面図である。図２は、発光部ユニット１０を閉じ位置へ移動させた収納状態を表し、図３は、発光部ユニット１０をアップ位置へ移動させた使用状態を表す。使用状態では、収納状態と異なってフラッシュ発光部１０１がレンズ鏡筒１６から離れるので、フラッシュ発光部１０１から撮影補助光を発する撮影時にレンズ鏡筒１６によるケラレの影響を受けにくくなる。フラッシュ発光部１０１は、発光体１０１ａおよびリフレクタ１０２を含む。発光体１０１ａは、例えばキセノン管で構成される。
【００１１】
アンテナ１０５は、発光部ユニット１０が閉じ位置にある場合とアップ位置にある場合の双方で、ＧＰＳ衛星から送信される電波を受信する。
【００１２】
発光部ユニット１０は、樹脂材料からなるポップアップ上ケース１０３およびポップアップ下ケース１０４で構成される。フラッシュ発光部１０１は、発光部ユニット１０の一端であって、ポップアップ上ケース１０３およびポップアップ下ケース１０４で挟まれる空間内に収容される。
【００１３】
発光部ユニット１０の他端は、ポップアップ回転軸１０８を介して電子カメラ１の本体１３とつながれる。これにより、フラッシュ発光部１０１が、カメラ本体１３からポップアップ回転軸１０８を中心として回動可能に支持される。ポップアップ回転軸１０８は、非金属部材で構成される。閉じ位置（図２）状態では、電子カメラ１の本体１３に設けられた開口部２０（図３）が、閉じ位置にある発光部ユニット１０で塞がれる。
【００１４】
発光部ユニット１０は、アップ位置へ移動する向きに不図示のばねによって付勢される。閉じ位置（図２）状態では、不図示の係止部材によって発光部ユニット１０が係止されるので、閉じ位置状態が保持される。
【００１５】
例えば、ユーザー操作によって係止部材による係止が解除されると、発光部ユニット１０は、上記付勢力によってポップアップ回転軸１０８を回転中心として開口部２０から離れる向きに回動し、アップ位置（図３）へ到達する。
【００１６】
電子カメラ１の本体上部１３ａの背面側（Ｚ軸負方向）には、電子ビューファインダー(EVF)１０６が設けられる。ポップアップ回転軸１０８は、カメラ本体１３において電子ビューファインダー(EVF)１０６より前方（Ｚ軸正方向）に設けられる。そして、閉じ位置（図２）状態におけるフラッシュ発光部１０１は、ポップアップ回転軸１０８よりさらに前方（Ｚ軸正方向）に位置する。
【００１７】
アンテナ１０５は、閉じ位置（図２）状態でフラッシュ発光部１０１とポップアップ回転軸１０８との間に位置するように、カメラ本体１３に設けられる。アンテナ１０５の位置は、閉じ位置（図２）状態でフラッシュ発光部１０１より上（Ｙ軸正方向）に位置する。ここで、フラッシュ発光部１０１とポップアップ回転軸１０８との間の距離を長くとる方が、使用状態においてフラッシュ発光部１０１がレンズ鏡筒１６から離れるので、上記ケラレの影響を受けにくくする点で有利である。本実施形態では、フラッシュ発光部１０１とポップアップ回転軸１０８との間の距離を長くすることによって生じた空間にアンテナ１０５を配置する。
【００１８】
図４は、閉じ位置（図２）状態にある電子カメラ１（発光部ユニット１０）を、ＸＺ平面で切断した断面図である。図４において、発光部ユニット１０（ポップアップ下ケース１０４）は、アンテナ１０５を避けて該アンテナ１０５の左右両側から回転軸１０８まで延設される。これにより、アンテナ１０５の上部を発光部ユニット１０が覆うことなしに、フラッシュ発光部１０１とポップアップ回転軸１０８との間にアンテナ１０５を配置する。フラッシュ発光部１０１のリフレクタ１０２や発光体１０１ａの端子部（不図示）は金属部材で構成されるが、これら金属部分とアンテナ１０５との間隔をアンテナ１０５のサイズより長く確保する。アンテナ１０５の性能を十分に発揮させるためである。
【００１９】
なお、本実施形態ではポップアップ回転軸１０８を１本で構成したが、図４においてアンテナ１０５の左右両側で分けるようにしてもよい。
【００２０】
アンテナ１０５の上部を発光部ユニット１０で覆わない代わりに、該アンテナ１０５の上部を樹脂材料で構成された樹脂カバー１１で覆う。樹脂カバー１１は、閉じ位置（図２）状態で、本体上部１３ａや発光部ユニット１０（ポップアップ上ケース１０３）と段差なく連続する面を形成する。樹脂カバー１１を設けることで、アンテナ１０５による受信感度を妨げることなく、アンテナ１０５の周囲に対する外部からの異物の侵入を防止する。
【００２１】
以上説明した実施形態によれば、次の作用効果が得られる。
（１）電子カメラ１は、アンテナ１０５と、フラッシュ発光部１０１をカメラ本体１３に収納する閉じ位置（図２）およびフラッシュ発光部１０１をカメラ本体１３から突出させるアップ位置（図３）間で、フラッシュ発光部１０１を移動させる移動機構と、を備え、移動機構は、カメラ本体１３と回転軸１０８を介してつながれたポップアップ上ケース１０３、ポップアップ下ケース１０４でフラッシュ発光部１０１を回動可能に支持し、アンテナ１０５は、カメラ本体１３において閉じ位置（図２）にあるフラッシュ発光部１０１と回転軸１０８との間に設けるように構成した。これにより、上記移動機構に対して負担をかけずにアンテナ１０５を配置できる。さらに、アップ状態か閉じ位置状態かにかかわらず、フラッシュ発光部１０１の金属部分とアンテナ１０５との間隔をアンテナ１０５のサイズより離すことができるから、適切にアンテナ１０５を設けることができる。
【００２２】
（２）上記（１）の電子カメラ１に記載のカメラにおいて、アンテナ１０５は、閉じ位置（図２）にあるフラッシュ発光部１０１より上に位置するので、カメラ上方との通信に適するようにアンテナ１０５を設けることができる。
【００２３】
（３）上記（１）、（２）の電子カメラ１において、回転軸１０８を非金属部材で構成したので、適切にアンテナ１０５を設けることができる。
【００２４】
（変形例１）
上述した説明では、アンテナ１０５の向きを変えずに固定する例を説明したが、アンテナ１０５の向きを可変に構成してもよい。変形例１では、フラッシュ発光部１０１の閉じ位置からアップ位置への移動にともなって、アンテナ１０５の向きを変化させる。図５は、変形例１の電子カメラ１ａを、図３の場合と同様にＹＺ平面で切断した断面図であって、フラッシュ発光部１０１をアップ位置へ移動させた状態を表す図である。
【００２５】
図５において、発光部ユニット１０が上述した実施形態と同様の付勢力によって、ポップアップ回転軸１０８を回転中心として開口部２０から離れる向きに回動する。アンテナ１０５は、発光部ユニット１０の回動に連動する不図示のギヤ機構により、斜め前方（Ｚ軸正方向）へ傾けられる。フラッシュ発光部１０１が閉じ位置の場合のアンテナ１０５の向きは、図２の場合と同様に上方（Ｙ軸正方向）を向くように、その傾きが戻される。
【００２６】
変形例１によれば、アップ位置に移動したフラッシュ発光部１０１を構成する金属部材（リフレクタ１０２およびキセノン管１０１ａの端子部）と、アンテナ１０５との間の関係を適切に調整することができる。例えば、アンテナ１０５が狭指向性を有する場合に、アンテナ１０５を金属部材と異なる方向へ向けることで、アンテナ１０５の性能を十分に発揮させることができる。
【００２７】
（変形例２）
電子カメラ１がＧＰＳ衛星からの電波を受信するアンテナ１０５を備える例を説明したが、無線ＬＡＮなどのアクセスポイントとの間の通信に用いるアンテナも同様にして設けることができる。
【００２８】
（変形例３）
カメラ本体１３はレンズ交換式のものでもよく、銀塩カメラであっても構わない。
【００２９】
以上の説明はあくまで一例であり、上記の実施形態の構成に何ら限定されるものではない。
【符号の説明】
【００３０】
１…電子カメラ
１０…発光部ユニット
１１…樹脂カバー
１２…撮影レンズ
１３…カメラ本体
１６…鏡筒
１０１…フラッシュ発光部
１０２…リフレクタ
１０３…ポップアップ上ケース
１０４…ポップアップ下ケース
１０５…アンテナ
１０６…ＥＶＦ
【図１】
2013122497.tif 000003
【図２】
2013122497.tif 000004
【図３】
2013122497.tif 000005
【図４】
2013122497.tif 000006
【図５】
2013122497.tif 000007